(57)【要約】  複数の無線アクセス技術（ＲＡＴ）をサポートするマルチモード移動局との通信のための方法および装置が提供される。特定の実施形態では、ページングリクエスト（８２４）が第１のＲＡＴネットワークによって受信されるとき、ページングリクエストはモバイルデバイスによってサポートされる全てのＲＡＴでブロードキャストされ得る。結果として、モバイルデバイスは、どのＲＡＴ（８２０）を現在のネットワーク接続に使用しているかに関わらずページングリクエストを受信し得る。【選択図】  図８Ｄ
2011526470.tif 000002
【特許請求の範囲】
【請求項１】
マルチモード移動局による無線通信のための方法であって、
前記移動局によってサポートされる、サポートされる複数の無線アクセス技術（ＲＡＴ）のリストを送信すること、
前記移動局によってサポートされる前記複数のＲＡＴのうちの第１のＲＡＴにより第１のネットワークとの接続を確立すること、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信すること、および
前記マルチモードページングメッセージに応答して、前記複数のＲＡＴのうちの前記第２のＲＡＴにより前記第２のネットワークとの接続を確立すること、
を含む方法。
【請求項２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項１の方法。
【請求項３】
前記移動局によってサポートされる前記第１および第２のＲＡＴのうちの少なくとも１つは、符号分割多重アクセス（ＣＤＭＡ）ＲＡＴを含む、請求項２の方法。
【請求項４】
前記サポートされるＲＡＴのリストを送信することは、前記第１の接続を確立するときに前記サポートされるＲＡＴのリストを送信すること、を含む請求項１の方法。
【請求項５】
異なるネットワークでのネットワーク輻輳を示すメッセージに応答して、前記移動局によりサポートされる前記複数のＲＡＴのうちの第１のＲＡＴによって前記第１のネットワークとの接続を確立すること、を含む請求項１の方法。
【請求項６】
マルチモード移動局との無線通信のための方法であって、
前記移動局によってサポートされる少なくとも第１および第２の無線アクセス技術（ＲＡＴ）のリストを受信すること、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストすること、
を含む方法。
【請求項７】
前記移動局によってサポートされるＲＡＴの前記リストを受信することは、登録リクエストでＲＡＴの前記リストを受信すること、を含む請求項６の方法。
【請求項８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項６の方法。
【請求項９】
前記移動局によってサポートされる前記第１および第２のＲＡＴのうちの少なくとも１つは、符号分割多重アクセス（ＣＤＭＡ）ＲＡＴを含む、請求項８の方法。
【請求項１０】
前記移動局に前記第１のＲＡＴによる第１のネットワーク接続から前記第２のＲＡＴによる第２のネットワーク接続へ切り替えることを要求する前記移動局へのメッセージを送信すること、をさらに含む請求項６の方法。
【請求項１１】
マルチモード移動局であって、
前記移動局によってサポートされる、サポートされる複数の無線アクセス技術（ＲＡＴ）のリストを送信するロジック、
前記移動局によってサポートされる前記複数のＲＡＴのうちの第１のＲＡＴにより第１のネットワークとの接続を確立するロジック、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信するロジック、および
前記マルチモードページングメッセージに応答して、前記複数のＲＡＴのうちの前記第２のＲＡＴにより前記第２のネットワークとの接続を確立するロジック、
を備えるマルチモード移動局。
【請求項１２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項１１の移動局。
【請求項１３】
前記移動局によってサポートされる前記第１および第２のＲＡＴのうちの少なくとも１つは、符号分割多重アクセス（ＣＤＭＡ）ＲＡＴを備える、請求項１２の移動局。
【請求項１４】
前記サポートされるＲＡＴのリストを送信するロジックは、前記第１の接続を確立するときに前記サポートされるＲＡＴのリストを送信するように構成される請求項１１の移動局。
【請求項１５】
異なるネットワークでのネットワーク輻輳を示すメッセージに応答して、前記移動局によりサポートされる前記複数のＲＡＴのうちの第１のＲＡＴによって前記第１のネットワークとの接続を確立するロジック、をさらに備える請求項１１の移動局。
【請求項１６】
マルチモード移動局との無線通信のためのデバイスであって、
前記移動局によってサポートされる少なくとも第１および第２の無線アクセス技術（ＲＡＴ）のリストを受信するロジック、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストするロジック、
を備えるデバイス。
【請求項１７】
前記移動局によってサポートされるＲＡＴの前記リストを受信することは、登録リクエストでＲＡＴの前記リストを受信するように構成される、請求項１６のデバイス。
【請求項１８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項１６のデバイス。
【請求項１９】
前記移動局によってサポートされる前記第１および第２のＲＡＴのうちの少なくとも１つは、符号分割多重アクセス（ＣＤＭＡ）ＲＡＴを備える、請求項１８のデバイス。
【請求項２０】
前記移動局に前記第１のＲＡＴによる第１のネットワーク接続から前記第２のＲＡＴによる第２のネットワーク接続へ切り替えることを要求する前記移動局へのメッセージを送信するロジック、をさらに備える請求項１６のデバイス。
【請求項２１】
マルチモード無線通信のための装置であって、
前記移動局によってサポートされる、サポートされる複数の無線アクセス技術（ＲＡＴ）のリストを送信する手段、
前記移動局によってサポートされる前記複数のＲＡＴのうちの第１のＲＡＴにより第１のネットワークとの接続を確立する手段、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信する手段、および
前記マルチモードページングメッセージに応答して、前記複数のＲＡＴのうちの前記第２のＲＡＴにより前記第２のネットワークとの接続を確立する手段、
を備える装置。
【請求項２２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項２１の移動局。
【請求項２３】
前記移動局によってサポートされる前記第１および第２のＲＡＴのうちの少なくとも１つは、符号分割多重アクセス（ＣＤＭＡ）ＲＡＴを備える、請求項２２の移動局。
【請求項２４】
前記サポートされるＲＡＴのリストを送信する手段は、前記第１の接続を確立するときに前記サポートされるＲＡＴのリストを送信するように構成される請求項２１の移動局。
【請求項２５】
異なるネットワークでのネットワーク輻輳を示すメッセージに応答して、前記移動局によりサポートされる前記複数のＲＡＴのうちの第１のＲＡＴによって前記第１のネットワークとの接続を確立する手段、をさらに備える請求項２１の移動局。
【請求項２６】
マルチモード移動局との無線通信のためのデバイスであって、
前記移動局によってサポートされる少なくとも第１および第２の無線アクセス技術（ＲＡＴ）のリストを受信する手段、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストする手段、
を備えるデバイス。
【請求項２７】
前記移動局によってサポートされるＲＡＴの前記リストを受信する手段は、登録リクエストでＲＡＴの前記リストを受信するように構成される、請求項２６のデバイス。
【請求項２８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項２６のデバイス。
【請求項２９】
前記移動局によってサポートされる前記第１および第２のＲＡＴのうちの少なくとも１つは、符号分割多重アクセス（ＣＤＭＡ）ＲＡＴを備える、請求項２８のデバイス。
【請求項３０】
前記移動局に、前記第１のＲＡＴによる第１のネットワーク接続から前記第２のＲＡＴによる第２のネットワーク接続へ切り替えることを要求する前記移動局へのメッセージを送信する手段、をさらに備える請求項２６のデバイス。
【請求項３１】
プログラムを含むコンピュータ読出可能媒体であって、マルチモード移動局のプロセッサによって実行されるとき、
前記移動局によってサポートされる、サポートされる複数の無線アクセス技術（ＲＡＴ）のリストを送信すること、
前記移動局によってサポートされる前記複数のＲＡＴのうちの第１のＲＡＴにより第１のネットワークとの接続を確立すること、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信すること、および
前記マルチモードページングメッセージに応答して、前記複数のＲＡＴのうちの前記第２のＲＡＴにより前記第２のネットワークとの接続を確立すること、
を含むオペレーションを実行するコンピュータ読出可能媒体。
【請求項３２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項３１のコンピュータ読出可能媒体。
【請求項３３】
前記移動局によってサポートされる前記第１および第２のＲＡＴのうちの少なくとも１つは、符号分割多重アクセス（ＣＤＭＡ）ＲＡＴを含む、請求項３２のコンピュータ読出可能媒体。
【請求項３４】
前記サポートされるＲＡＴのリストを送信することは、前記第１の接続を確立するときに前記サポートされるＲＡＴのリストを送信することを含む請求項３１のコンピュータ読出可能媒体。
【請求項３５】
異なるネットワークでのネットワーク輻輳を示すメッセージに応答して、前記移動局によりサポートされる前記複数のＲＡＴのうちの第１のＲＡＴによって前記第１のネットワークとの接続を確立すること、を含む請求項３１のコンピュータ読出可能媒体。
【請求項３６】
マルチモード移動局との無線通信のためのプログラムを含むコンピュータ読出可能媒体であって、プロセッサによって実行されるとき、
前記移動局によってサポートされる少なくとも第１および第２の無線アクセス技術（ＲＡＴ）のリストを受信すること、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストすること、
を含むオペレーションを実行するコンピュータ読出可能媒体。
【請求項３７】
前記移動局によってサポートされるＲＡＴの前記リストを受信することは、登録リクエストでＲＡＴの前記リストを受信することを含む、請求項３６のコンピュータ読出可能媒体。
【請求項３８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項３６のコンピュータ読出可能媒体。
【請求項３９】
前記移動局によってサポートされる前記第１および第２のＲＡＴのうちの少なくとも１つは、符号分割多重アクセス（ＣＤＭＡ）ＲＡＴを含む、請求項３８のコンピュータ読出可能媒体。
【請求項４０】
前記オペレーションは、前記移動局に、前記第１のＲＡＴによる第１のネットワーク接続から前記第２のＲＡＴによる第２のネットワーク接続へ切り替えることを要求する前記移動局へのメッセージを送信すること、をさらに含む請求項３６のコンピュータ読出可能媒体。
【発明の詳細な説明】
【技術分野】
【０００１】
本開示の特定の実施形態は、一般に無線通信に関し、より詳細には、複数の無線アクセス技術をサポートするモバイルデバイスとの通信に関する。
【背景技術】
【０００２】
ＩＥＥＥ８０２．１６の下のＯＦＤＭおよびＯＦＤＭＡ無線通信システムは、複数のサブキャリアの周波数の直交性に基づくシステムにサービスのために登録された無線デバイス（すなわち移動局）と通信する複数の基地局のネットワークを使用し、マルチパスフェージングと干渉に対する耐性のような広帯域無線通信について多くの技術的な利点を達成するために実装されることができる。各基地局（ＢＳ）は、移動局（ＭＳ）から／へのデータを伝える無線周波数（ＲＦ）信号を発信および受信する。
【０００３】
加入者に利用可能なサービスを拡大するために、いくつかのＭＳは、複数の無線アクセス技術（ＲＡＴ：radio access technology）との通信をサポートする。例えば、デュアルモードＭＳは、広帯域データサービス用のＷｉＭＡＸおよびボイス（voice）サービス用の符号分割多重アクセス（ＣＤＭＡ）をサポートし得る。
【０００４】
残念なことに、従来のシステムでは、２つのネットワーク間の非効率的な切り替えが、一方のサービスのスループットの減少を引き起こし得る。
【発明の概要】
【０００５】
特定の実施形態は、マルチモード移動局による無線通信のための方法を提供する。該方法は、一般に、該移動局によってサポートされる、サポートされる複数の無線アクセス技術（ＲＡＴ）のリストを送信すること、該移動局によってサポートされる該複数のＲＡＴのうちの第１のＲＡＴにより第１のネットワークとの接続を確立すること、該第１の接続によって、該移動局によってサポートされる該複数のＲＡＴのうちの第２のＲＡＴをサポートする第２のネットワークで検知された該移動局に対するページングリクエスト（paging request）を示すマルチモードページングメッセージを受信すること、および該マルチモードページングメッセージに応答して、該複数のＲＡＴのうちの該第２のＲＡＴにより該第２のネットワークとの接続を確立すること、を含む。
【０００６】
特定の実施形態は、マルチモード移動局との無線通信の方法を提供する。該方法は、該移動局によってサポートされる少なくとも第１および第２の無線アクセス技術（ＲＡＴ）のリストを受信すること、および該サポートされるＲＡＴのうちの第１のＲＡＴによる該移動局をターゲットとするページングリクエストを検知することに応答して、該移動局へマルチモードページングメッセージを該第１および第２のＲＡＴによりブロードキャストすること、を含む。
【０００７】
特定の実施形態は、マルチモード移動局を提供する。該移動局は、一般に、該移動局によってサポートされる、サポートされる複数の無線アクセス技術（ＲＡＴ）のリストを送信するロジック（logic）、該移動局によってサポートされる該複数のＲＡＴのうちの第１のＲＡＴにより第１のネットワークとの接続を確立するロジック、該第１の接続によって、該移動局によってサポートされる該複数のＲＡＴのうちの第２のＲＡＴをサポートする第２のネットワークで検知された該移動局に対するページングリクエストを示すマルチモードページングメッセージを受信するロジック、および該マルチモードページングメッセージに応答して、該複数のＲＡＴのうちの該第２のＲＡＴにより該第２のネットワークとの接続を確立するロジック、を備える。
【０００８】
特定の実施形態は、マルチモード移動局との無線通信のためのデバイスを提供する。該デバイスは、一般に、該移動局によってサポートされる少なくとも第１および第２の無線アクセス技術（ＲＡＴ）のリストを受信するロジック、および該サポートされるＲＡＴのうちの第１のＲＡＴによる該移動局をターゲットとするページングリクエストの検知に応答して、該移動局へマルチモードページングメッセージを該第１および第２のＲＡＴによりブロードキャストするロジック、を備える。
【０００９】
特定の実施形態は、マルチモード無線通信のための装置を提供する。該装置は、一般に、該移動局によってサポートされる、サポートされる複数の無線アクセス技術（ＲＡＴ）のリストを送信する手段、該移動局によってサポートされる該複数のＲＡＴのうちの第１のＲＡＴにより第１のネットワークとの接続を確立する手段、該第１の接続によって、該移動局によってサポートされる該複数のＲＡＴのうちの第２のＲＡＴをサポートする第２のネットワークで検知された該移動局に対するページングリクエストを示すマルチモードページングメッセージを受信する手段、および該マルチモードページングメッセージに応答して、該複数のＲＡＴのうちの該第２のＲＡＴにより該第２のネットワークとの接続を確立する手段、を備える。
【００１０】
特定の実施形態は、マルチモード移動局との無線通信のためのデバイスを提供する。該デバイスは、一般に、該移動局によってサポートされる少なくとも第１および第２の無線アクセス技術（ＲＡＴ）のリストを受信する手段、および該サポートされるＲＡＴのうちの第１のＲＡＴによる該移動局をターゲットとするページングリクエストの検知に応答して、該移動局へマルチモードページングメッセージを該第１および第２のＲＡＴによりブロードキャストする手段、を備える。
【００１１】
特定の実施形態は、プログラムを含むコンピュータ読出可能媒体を提供する。マルチモード移動局のプロセッサによって実行されるとき、該プログラムは、一般に、該移動局によってサポートされる、サポートされる複数の無線アクセス技術（ＲＡＴ）のリストを送信すること、該移動局によってサポートされる複数のＲＡＴのうちの第１のＲＡＴにより第１のネットワークとの接続を確立すること、該第１の接続によって、該移動局によってサポートされる該複数のＲＡＴのうちの第２のＲＡＴをサポートする第２のネットワークで検知された該移動局に対するページングリクエストを示すマルチモードページングメッセージを受信すること、および該マルチモードページングメッセージに応答して、該複数のＲＡＴのうちの該第２のＲＡＴにより該第２のネットワークとの接続を確立すること、を含むオペレーションを実行する。
【００１２】
特定の実施形態は、マルチモード移動局との無線通信のためのプログラムを含むコンピュータ読出可能媒体を提供する。プロセッサによって実行されるとき、該プログラムは、一般に、該移動局によってサポートされる少なくとも第１および第２の無線アクセス技術（ＲＡＴ）のリストを受信すること、および該サポートされるＲＡＴのうちの第１のＲＡＴによる該移動局をターゲットとするページングリクエストの検知に応答して、該移動局へマルチモードページングメッセージを該第１および第２のＲＡＴによりブロードキャストすること、を含むオペレーションを実行する。
【００１３】
本開示の上記列挙された特徴が詳細に理解されるように、上記に簡潔に要約された本開示のより詳細な説明が、添付の図にいくつか示される実施形態を参照することにより得られる。しかしながら、添付の図はこの開示の典型的な実施形態だけを示しており、そのため、その範囲を制限するのではなく、本開示が他の同等の効果を有する実施形態を許容することは留意すべきである。
【図面の簡単な説明】
【００１４】
【図１】本開示の特定の実施形態に従った無線通信システムの例を示す。
【図２】本開示の特定の実施形態に従った無線デバイスで用いられる様々なコンポーネントを示す。
【図３】本開示の特定の実施形態に従った、直交周波数分割多重および直交周波数分割多元アクセス（ＯＦＤＭ／ＯＦＤＭＡ）技術を用いる無線通信システム内で使用され得る送信機および受信機の例を示す。
【図４】本開示の特定の実施形態に従った、マルチモード移動局が複数の無線アクセス技術（ＲＡＴ）をサポートするシステム例を示す。
【図５Ａ】本開示の特定の実施形態に従った、異なるＲＡＴのページングスケジュールの例を示す。
【図５Ｂ】本開示の特定の実施形態に従った、統合マルチモードページングスケジュールの例を示す。
【図６】本開示の特定の実施形態に従った、マルチモードページングリクエストをサポートするマルチモード移動局によって実行され得る動作例を示す。
【図６Ａ】図６に示される動作を実行することができるコンポーネント例のブロック図である。
【図７】本開示の実施形態に従った、マルチモードページングを実行する動作例を示す。
【図７Ａ】図７に示される動作を実行できるコンポーネント例のブロック図である。
【図８Ａ】本開示の特定の実施形態に従った、マルチモードページングのための通信例を示す。
【図８Ｂ】本開示の特定の実施形態に従った、マルチモードページングのための通信例を示す。
【図８Ｃ】本開示の特定の実施形態に従った、マルチモードページングのための通信例を示す。
【図８Ｄ】本開示の特定の実施形態に従った、マルチモードページングのための通信例を示す。
【図８Ｅ】本開示の特定の実施形態に従った、マルチモードページングのための通信例を示す。
【図９Ａ】本開示の特定の実施形態に従った、ネットワーク輻輳に基づくマルチモードページングのための通信例を示す。
【図９Ｂ】本開示の特定の実施形態に従った、ネットワーク輻輳に基づくマルチモードページングのための通信例を示す。
【図９Ｃ】本開示の特定の実施形態に従った、ネットワーク輻輳に基づくマルチモードページングのための通信例を示す。
【発明を実施するための形態】
【００１５】
本開示の特定の実施形態は、複数の無線アクセス技術（ＲＡＴ）によって通信をサポートするマルチモードモバイルデバイスが、１つのＲＡＴにより、ＭＳに向かうトラフィックを示すマルチモードページリクエストを別のＲＡＴで受信することを可能にする。統合されたマルチモードページングの使用を通じて、本開示の特定の実施形態は、マルチモード移動局がアクティブな接続を有する第１のＲＡＴネットワークが、他のＲＡＴネットワークからのメッセージについてのメッセージトンネル（message tunnel）としてサービングする（serve）ことを可能にし得る。例えば、マルチモードページングは、アクティブＷｉＭＡＸ接続をもつモバイルデバイスが、ＣＤＭＡネットワークへ切り替える必要なく、ＣＤＭＡページングメッセージを受信することを可能にし得る。
【００１６】
結果として、マルチモードデバイスは、異なる複数のＲＡＴのそれぞれのページングチャネルに切り替えおよびリッスンする（listen）必要なく、異なるＲＡＴでトラフィックを検知し得る。ページングメッセージを検知するためにＲＡＴの間で切り替える必要を低減または除去することによって、データスループットはユーザトラフィック中の割込み数を低減することにより改善され得る。ページングメッセージを検知するためにＲＡＴの間で切り替える必要を低減または除去することは、また電力消費量を低減し得る。
【００１７】
典型的な無線通信システム
本開示の方法および装置は、広帯域無線通信システムにおいて用いられ得る。ここで使用されるように、用語「広帯域無線」は、一般に、ボイス、インターネット、および／または任意のエリアにアクセスするデータネットワークのような無線サービスの任意の組合せを提供し得る技術を指す。
【００１８】
“Worldwide Interoperability for Microwave Access”を表わすＷｉＭＡＸは、長距離にわたって高スループット広帯域接続を提供する標準ベース広帯域無線技術である。今日、ＷｉＭＡＸについて２つの主要なアプリケーションがあり、それは、固定（fixed）ＷｉＭＡＸおよびモバイル（mobile）ＷｉＭＡＸである。例えば、固定ＷｉＭＡＸアプリケーションは、家および会社への広帯域アクセスを可能にするポイントツーマルチポイント（point-to-multipoint）である。モバイルＷｉＭＡＸは、広帯域速度で、セルラーネットワーク（cellular network）の十分なモビリティを提供する。
【００１９】
モバイルＷｉＭＡＸは、ＯＦＤＭ（直交周波数分割多重：orthogonal frequency-division multiplexing）およびＯＦＤＭＡ（直交周波数分割多元アクセス：orthogonal frequency division multiple access）技術に基づく。ＯＦＤＭは、近年、様々な高データレート通信システムへの広範な採用が見受けられるようになったデジタルマルチキャリア変調技術である。ＯＦＤＭを用いると、送信ビットストリームは、より低いレートの複数のサブストリームに分けられる。各サブストリームは複数の直交サブキャリアのうちの１つに変調され、パラレルな複数のサブチャネルのうちの１つで送信される。ＯＦＤＭＡは、ユーザが異なるタイムスロット中のサブキャリアに割り当てられる多元アクセス技術である。ＯＦＤＭＡは、様々なアプリケーション、データレート、およびサービス品質の要求を多くのユーザに提供できる柔軟な多元アクセス技術である。
【００２０】
無線インターネットおよび通信における急速な成長は、無線通信サービスの分野における高データレートに対する要求の高まりにつながってきている。ＯＦＤＭ／ＯＦＤＭＡシステムは、今日、最も有望な研究領域のうちの１つとして、および無線通信の次世代の重要な技術として見なされる。これは、ＯＦＤＭ／ＯＦＤＭＡ変調スキーム（modulation scheme）が変調効率、スペクトル効率、柔軟性、および強いマルチパス耐性（multipath immunity）といった、従来の単一キャリア変調スキームよりも多くの利点を提供できるという事実による。
【００２１】
ＩＥＥＥ８０２．１６ｘは、固定およびモバイル広帯域無線アクセス（ＢＷＡ）システムのためのエアー・インタフェース（air interface）を定義する新しい標準組織である。これらの標準は少なくとも４つの異なる物理層（ＰＨＹ）および１つのメディアアクセス制御（ＭＡＣ）層を定義する。４つの物理層のうちのＯＦＤＭおよびＯＦＤＭＡ物理層は、固定およびモバイルＢＷＡエリアのそれぞれで最もポピュラーなものである。
【００２２】
図１は、本発明の実施形態が用いられ得る無線通信システム１００の例を示す。無線通信システム１００は広帯域の無線通信システムであり得る。無線通信システム１００は、多くのセル１０２に対して通信を提供し得、各セルは基地局１０４によってサービスされる。基地局１０４はユーザ端末１０６と通信する固定局であり得る。基地局１０４は、アクセスポイント、ノードＢあるいは他の用語で呼ばれ得る。
【００２３】
図１は、システム１００全体に分散された様々なユーザ端末１０６を表す。ユーザ端末１０６は固定式（すなわち、静止している）あるいは移動式であり得る。ユーザ端末１０６は、遠隔局、アクセス端末、端末、加入者ユニット、移動局、局、ユーザ設備などとも呼ばれ得る。ユーザ端末１０６は、携帯電話、携帯情報端末（ＰＤＡ）、ハンドヘルドデバイス（handheld device）、無線モデム、ラップトップコンピュータ、パソコンなどのような無線デバイスであり得る。
【００２４】
様々なアルゴリズムおよび方法は、基地局１０４とユーザ端末１０６との間の無線通信システム１００における送信に使用され得る。例えば、信号は、ＯＦＤＭ／ＯＦＤＭＡ技術に従って基地局１０４とユーザ端末１０６との間で送信および受信される。その場合、無線通信システム１００はＯＦＤＭ／ＯＦＤＭＡシステムと呼ばれる。
【００２５】
基地局１０４からユーザ端末１０６への送信を容易にする通信リンクは、ダウンリンク１０８と呼ばれ得、また、ユーザ端末１０６から基地局１０４への送信を容易にする通信リンクは、アップリンク１１０と呼ばれ得る。あるいは、ダウンリンク１０８は順方向リンクまたは順方向チャネルと呼ばれ得、また、アップリンク１１０は逆方向リンクまたは逆方向通信チャネルと呼ばれ得る。
【００２６】
セル１０２は複数のセクター１１２に分割され得る。セクター１１２はセル１０２内での物理カバレッジエリア（physical coverage area）である。無線通信システム１００内の基地局１０４は、セル１０２の特定のセクター１１２内の電力の流れを集めるアンテナを用いることができる。そのようなアンテナは指向性アンテナと呼ばれ得る。
【００２７】
図２は、無線通信システム１００内に用いられ得る無線デバイス２０２に用いられ得る様々なコンポーネントを示す。無線デバイス２０２は、ここで記述される様々な方法を実装するように構成され得るデバイスの例である。無線デバイス２０２は、基地局１０４またはユーザ端末１０６であり得る。
【００２８】
無線デバイス２０２は、無線デバイス２０２の動作を制御するプロセッサ２０４を含み得る。プロセッサ２０４は中央演算処理装置（ＣＰＵ）とも呼ばれ得る。読み出し専用メモリ（ＲＯＭ）およびランダムアクセスメモリ（ＲＡＭ）の両方を含むメモリ２０６は、プロセッサ２０４に命令とデータを提供する。メモリ２０６の一部分は、不揮発性ランダムアクセスメモリ（ＮＶＲＡＭ）も含み得る。プロセッサ２０４は、通常、メモリ２０６内に記憶されたプログラム命令に基づき論理的および算術演算を実行する。メモリ２０６内の命令は、ここに記述された方法を実装するために実行可能である。
【００２９】
無線デバイス２０２は、無線デバイス２０２と遠隔地との間でデータの送信および受信を可能にするために送信機２１０および受信機２１２を含み得る筐体２０８も含み得る。送信機２１０および受信機２１２は送受信機２１４に統合され得る。アンテナ２１６は、筐体２０８に取り付けられ、送受信機２１４に電気的に連結され得る。無線デバイス２０２は、複数の送信機、複数の受信機、複数の送受信機、および／または複数のアンテナも含み得る（図示せず）。
【００３０】
無線デバイス２０２は、送受信機２１４によって受信された信号のレベルを検知および測定するために使用され得る信号検出器２１８も含み得る。信号検出器２１８は、総エネルギー、１サブキャリア当たりのエネルギー、電力スペクトル密度および他の信号のように信号を検知し得る。無線デバイス２０２は、信号処理に用いるためのデジタルシグナルプロセッサ（ＤＳＰ）２２０も含み得る。
【００３１】
無線デバイス２０２の様々なコンポーネントは、データバスに加えて電力バス、制御信号バスおよびステータス信号バスを含み得るバスシステム２２２によって共に連結され得る。
【００３２】
図３は、ＯＦＤＭ／ＯＦＤＭＡを用いる無線通信システム１００内で使用され得る送信機３０２の例を示す。送信機３０２のいくつかの部分には、無線デバイス２０２の送信機２１０に実装され得る。送信機３０２は、ダウンリンク１０８によってユーザ端末１０６へデータ３０６を送信するため基地局１０４において実装され得る。送信機３０２は、また、アップリンク１１０によって基地局１０４へデータ３０６を送信するためユーザ端末１０６において実装され得る。
【００３３】
送信されるデータ３０６は、シリアル／パラレル（Ｓ／Ｐ）コンバータ３０８への入力として提供されるものとして示される。Ｓ／Ｐコンバータ３０８は、送信データをＮ個のパラレルデータストリーム３１０へ分割し得る。
【００３４】
その後、Ｎ個のデータストリーム３１０はマッパー３１２への入力として提供され得る。マッパー３１２は、Ｎ個のデータストリーム３１０をＮ個のコンステレーション（constellation）ポイントにマッピングし得る。マッピングは、２相位相変調（ＢＰＳＫ）、４相位相変調（ＱＰＳＫ）、８相位相変調（８ＰＳＫ）、直交振幅変調（ＱＡＭ）などのようなある変調コンステレーションを使用して行われ得る。従って、マッパー３１２は、Ｎ個のパラレルシンボルストリーム３１６を出力し、各シンボルストリーム３１６は高速逆フーリエ変換（ＩＦＦＴ）３２０のＮ個の直交サブキャリアのうちの１つに対応する。これらのＮ個のパラレルシンボルストリーム３１６は周波数ドメインで表され、ＩＦＦＴコンポーネント３２０によってＮ個のパラレル時間ドメインサンプルストリーム３１８へ変換され得る。
【００３５】
用語に関する簡潔な注釈はこの後提供されるだろう。周波数ドメイン内のＮ個のパラレル変調は、周波数ドメイン内のＮ個の変調シンボルに相当し、それは周波数ドメイン内のＮマッピングおよびＮポイントＩＦＦＴに相当し、それは時間ドメイン内の１つの（有用な）ＯＦＤＭシンボルに相当し、それは時間ドメイン内のＮ個のサンプルに相当する。時間ドメイン内の１つのＯＦＤＭシンボル、Ｎsは、Ｎcp（ＯＦＤＭシンボルごとのガードサンプルの数）＋Ｎ（ＯＦＤＭシンボルごとの有用なサンプルの数）と等しい。
【００３６】
Ｎ個のパラレル時間ドメインサンプルストリーム３１８は、パラレル／シリアル（Ｐ／Ｓ）コンバータ３２４によってＯＦＤＭ／ＯＦＤＭＡシンボルストリーム３２２に変換され得る。ガード挿入コンポーネント３２６は、ＯＦＤＭ／ＯＦＤＭＡシンボルストリーム３２２内の連続するＯＦＤＭ／ＯＦＤＭＡシンボル間に、ガードインターバルを挿入し得る。その後、ガード挿入コンポーネント３２６の出力は、無線周波数（ＲＦ）フロントエンド３２８によって所望の送信周波数帯域にアップコンバートされ得る。結果として得られる信号３３２を、その後、アンテナ３３０は送信し得る。
【００３７】
図３は、さらにＯＦＤＭ／ＯＦＤＭＡを用いる無線デバイス２０２内に使用され得る受信機３０４の例を示す。受信機３０４の部分は、無線デバイス２０２の受信機２１２の中で実装され得る。受信機３０４は、ダウンリンク１０８で基地局１０４からデータ３０６を受信するためにユーザ端末１０６の中に実装され得る。受信機３０４も、アップリンク１１０でユーザ端末１０６からデータ３０６を受信するために基地局１０４の中に実装され得る。
【００３８】
送信された信号３３２は、無線チャネル３３４により伝わるものとして示される。信号３３２’がアンテナ３３０’によって受信されるとき、受信された信号３３２’はＲＦフロントエンド３２８’によってベースバンド信号にダウンコンバートされ得る。その後、ガード除去コンポーネント３２６’は、ガード挿入コンポーネント３２６によってＯＦＤＭ／ＯＦＤＭＡシンボル間で挿入されたガードインターバルを除去し得る。
【００３９】
ガード除去コンポーネント３２６’の出力は、Ｓ／Ｐコンバータ３２４’に提供され得る。Ｓ／Ｐコンバータ３２４’は、ＯＦＤＭ／ＯＦＤＭＡシンボルストリーム３２２’を、Ｎ個の直交サブキャリアのうちの１つにそれぞれ対応するＮ個のパラレル時間ドメインシンボルストリーム３１８’に分割し得る。高速フーリエ変換（ＦＦＴ）コンポーネント３２０’は、Ｎ個のパラレル時間ドメインシンボルストリーム３１８’を周波数ドメインへ変換し、Ｎ個のパラレル周波数ドメインシンボルストリーム３１６’を出力し得る。
【００４０】
デマッパー３１２’は、マッパー３１２によって実行されたシンボルマッピング動作の逆を実行し、その結果、Ｎ個のパラレルデータストリーム３１０’を出力し得る。Ｐ／Ｓコンバータ３０８’は、Ｎ個のパラレルデータストリーム３１０’を単一のデータストリーム３０６’に混合し得る。理想的には、このデータストリーム３０６’は、送信機３０２に入力として提供されたデータ３０６に対応する。ここで留意すべきは、エレメント３０８’、３１０’、３１２’、３１６’、３２０’、３１８’および３２４’は、ベースバンドプロセッサ３４０’内に全て見られ得る。
【００４１】
典型的な省電力マルチモード技術
前述したように、ＩＥＥＥ８０２．１６標準に基づくＷｉＭＡＸ無線通信システムは、無線デバイス（つまり移動局）と通信するサービスタワーに実装された基地局のネットワークを使用する。各基地局（ＢＳ）は、移動局（ＭＳ）（例えば  携帯電話、ラップトップコンピュータなど）から／へのデータを伝える無線周波数（ＲＦ）信号を発信および受信する。同様に、他の無線アクセス技術（ＲＡＴ）は、１つまたは複数の無線デバイスと通信する基地局のネットワークを使用する。例えば、ＵＭＴＳ（Universal Mobile Telecommunication System）、ＧＳＭ（登録商標）（Global System for Mobile communications）、およびＵＭＢ（Ultra Mobile Broadband）技術は全て、ＭＳから／へデータを伝えるＲＦ信号を受信および送信する複数のＢＳを適用し得る。単一のサービスタワーは様々なＲＡＴに対して複数の基地局を物理的にサポートし得るため、任意の地理的なエリアは複数の無線アクセス技術のカバレッジエリア内に存在し得る。
【００４２】
従って、ＭＳは複数のＲＡＴと通信するように構成され得る（そのようなＭＳはここではマルチモードＭＳと呼ばれる）。マルチモードＭＳは、通常、一度に単一のＲＡＴとのアクティブ接続を維持するため、ＭＳはＭＳによってサポートされる他のＲＡＴに関してアイドルとなり得る。その結果、従来のシステムでは、他のネットワーク上のトラフィックを検知するために、ＭＳはサポートされる各ＲＡＴのページングチャネルに定期的に切り替えてリッスンし得る。ページングメッセージを見過ごさないことを保証するために、ＭＳは通常各ＲＡＴのページングスケジュールに基づき各ＲＡＴのページングチャネルに切り替えてリッスンし得る。残念なことに、ページングリクエストが存在しないならば、ページングリクエストをリッスンする様々なＲＡＴ間での切り替えは、電力の無駄をもたらす。さらに、ページングリクエストをリッスンする様々なＲＡＴの間でＭＳが切り替わる間に、データスループットは低減され得る。
【００４３】
図４は、複数の長距離無線ＲＡＴ  ４２０1-4によってサービスされる地理的エリア内でマルチモードＭＳ  ４１０が動作し得るシステム４００を示す。図示された例では、マルチモードＭＳは、ＷｉＭＡＸ（Worldwide Interoperability for Microwave Access）サービス４２０1、ＵＭＢ（Ultra Mobile Broadband）サービス４２０2、ＬＴＥ（Long Term Evolution）サービス４２０3、ＨＳＰＡ＋（Evolved High-Speed Packet Access）サービス４２０4、および／または他のタイプの長距離あるいは短距離ＲＡＴによりネットワークにアクセスし得る。
【００４４】
前述したように、ＭＳが常に単一のＲＡＴとのアクティブ接続に制限され得るが、各ＲＡＴはそれ自身のページングスケジュールを有する。従って、ＭＳは、１つのＲＡＴにアクティブに接続されている間、他のＲＡＴに関してアイドルとなり得る。各ＲＡＴは、ＭＳが当該ＲＡＴ上でのＭＳへのトラフィックについて通知される独立したページングスケジュールを維持し得るので、従来のシステムでは、ＭＳは、ページングメッセージをリッスンするためにＲＡＴ間を頻繁に切り替え、これは全体的なデータスループットを低下させ、全体的な電力消費量を増加させ得る。
【００４５】
図５Ａは、図４に示されるＲＡＴ  ４２０1-4についてのページングスケジュール５１０1-4の例を示す。図示されているように、異なるＲＡＴについてのページングスケジュールは異なる周期を有し、ページングメッセージを見過ごさないことを保証するためにＲＡＴ間で頻繁に切り替わることをマルチモードＭＳに要求し得る。
【００４６】
しかしながら、本開示の特定の実施形態は、マルチモードＭＳが、単一のＲＡＴ基地局をリッスンする間に複数のＲＡＴからのページングメッセージについて監視可能とすることを提供する。結果として、マルチモードページングは、ページングメッセージをリッスンするために他のＲＡＴへ切り替えることを要求する従来のシステムにおいて発生していたデータスループットの低下または電力消費量の増加なしに、他のＲＡＴからのページングメッセージが検知されることを可能にし得る。
【００４７】
図５Ｂに図示されるように、ページングリクエストが単一のＲＡＴで受信されるとき、マルチモードページングは、マルチＲＡＴネットワークにおいて、マルチモードＭＳ  ４１０によってサポートされる全てのＲＡＴでページングリクエストをブロードキャストすることにより、達成され得る。例えば、４つのＲＡＴをサポートするマルチモードＭＳを想定すると、第１のＲＡＴに対するページングメッセージ５２０を受信することに応じて、マルチモードネットワークは、ＭＳによってサポートされる全てのＲＡＴでページングメッセージ５１０’1-4をブロードキャストし得る。従って、ＭＳはどのＲＡＴがアクティブ接続をしているかに関わらずページングメッセージを受信し得る。
【００４８】
図６は、本開示の特定の実施形態に従って、マルチモードページングを可能にしおよび用いるためにマルチモードＭＳが実行し得る動作例６００を示す。
【００４９】
動作は、６０２で、第１のＲＡＴによってネットワークに登録し、ＭＳによってサポートされるＲＡＴをネットワークに通知することから始まる。例えば、チャネルセットアッププロセスの間に、ＭＳは、それがサポートする全てのＲＡＴをネットワークに通知する。結果として、ネットワークは、１つのＲＡＴでページングリクエストを受信するとき、モバイルデバイスがサポートできる全てのＲＡＴでページングリクエストをブロードキャストし得る。
【００５０】
ＭＳによってサポートされるＲＡＴがネットワークへ通信されると、６０４において、ＭＳは、単一のＲＡＴで、ＭＳによってサポートされる複数のＲＡＴでネットワークによってブロードキャストされるマルチモードページングリクエストをリッスンし得る。マルチモードページングリクエストの受信に際して、６０６で、ＭＳはマルチモードページングリクエストによって示されるＲＡＴへ切り替え得る。
【００５１】
特定の実施形態では、ＭＳが特定のＲＡＴによってネットワークとどのように通信するかを定める標準は、例えば、ＭＳが図６に示される動作６００の１つまたは複数を実行することを可能にするために変更される必要がある。特定の実施形態では、特定のＲＡＴ標準で用いられる既存のメッセージフォーマットは、マルチモードページングメッセージをブロードキャストするために用いられ、例えば、１つのＲＡＴが他のＲＡＴからのページングメッセージ用のトンネルとして振る舞うことを可能にする。ネットワーク側で、基地局および他のインタフェースロジックは、ＭＳによってサポートされるＲＡＴがネットワークで伝搬されることを可能にするように構成され得る。例えば、ＭＳが１つのＲＡＴによってネットワークに登録するとき、そのＲＡＴをサポートするコンポーネントは、ＭＳによってサポートされるＲＡＴのセットを他のＲＡＴのコンポーネントへ伝える。
【００５２】
図７は、本開示の特定の実施形態に従って、マルチモードページングを可能にしおよび用いるためにマルチＲＡＴネットワークのコンポーネントによって実行され得る動作７００の例を示す。
【００５３】
動作は、７０２で、第１のＲＡＴによってマルチモードＭＳから登録リクエストを受信することによって始まる。登録リクエストには、ＭＳによってサポートされる複数のＲＡＴの指示を含み得る。７０４で、ＭＳは登録され、また、ＭＳによってサポートされるＲＡＴの指示はネットワークによって伝搬され得る。例えば、登録リクエストを受信するＲＡＴの基地局は、他のサポートされるＲＡＴの基地局へ、ＭＳによってサポートされる複数のＲＡＴを伝え得る。
【００５４】
７０６において、ネットワークが複数のＲＡＴのうちの１つでＭＳをターゲットとするメッセージ（データトラフィック、音声通話（voice phone call）など）を受信すると、７０８において、ページングリクエストがＭＳによってサポートされる全てのＲＡＴでブロードキャストされ得る。前述のように、マルチモードページングリクエストは、入って来るボイスまたはデータが利用可能なＲＡＴを示す情報を含み得る。従って、ＭＳがどのＲＡＴに接続されるかに関わらず、ＭＳはページングリクエストを聞けるはずだ。
【００５５】
図８Ａ−８Ｅは、図６および７で示される動作例に従った、マルチモードＭＳ  ８１０とマルチＲＡＴネットワークのコンポーネントとの間の通信例を示す。図示されるように、マルチＲＡＴネットワークは対応する様々なＲＡＴをサポートする複数の基地局８２０1-4、および複数のＲＡＴのＢＳ間で情報が交換されることを可能にするマルチＲＡＴインタフェースロジック８３０を含み得る。マルチＲＡＴインタフェースロジック８３０は、基地局、モバイルスイッチングセンタ（ＭＳＣ）、アクセスサービスネットワークゲートウェイ（ＡＳＮ−ＧＷ）デバイス、および／または異なるＲＡＴのコンポーネント間のインタフェースとなる他の任意の適切なタイプのコンポーネントのような、コンポーネントの任意の適切な組合せを含み得る。
【００５６】
図８Ａの中で図示されるように、ＭＳ  ８１０は、第１のＲＡＴによって、第１のＲＡＴ  ＢＳ（実例として、ＷｉＭＡＸ  ＢＳ  ８２０1）へ登録リクエスト８１２を送信することによって、ネットワークに登録し得る。前述のように、登録リクエスト８１２はＭＳ  ８１０にサポートされる様々なＲＡＴのリスト、例えばリスト８２２を含み得る
登録リクエスト８１２に応答して、図８Ｂで図示されるように、第１のＲＡＴのＢＳ  ８２０1はＭＳ  ８１０へ登録レスポンス８１４を送信し、（ＭＳ  ８１０とＷｉＭＡＸ  ＢＳ  ８２０1との間の実線によって示されるように）アクティブＷｉＭＡＸ接続は確立され得る。さらに、ＢＳ  ８２０1は、ＭＳ  ８１０によってサポートされるＲＡＴのリスト８２２を対応するＢＳへ伝搬するために、インタフェースロジック８３０と通信し得る。ＭＳ  ８１０を登録し、ＭＳ  ８１０によってサポートされるＲＡＴのリストを伝搬した後に、ネットワークはＭＳと従来の動作を行う。
【００５７】
ＭＳ  ８１０が第１のＲＡＴ（例えば、ＷｉＭＡＸ接続）とのアクティブ接続を維持している間に、ネットワークは図８Ｃで図示されるように、第２のＲＡＴからＭＳ  ８１０へのメッセージ８３２を受信し得る。例えば、メッセージ８３２は、ＭＳ  ８１０をターゲットとする音声電話を示すＣＤＭＡのＭＳＣからのページリクエストであり得る。
【００５８】
ＭＳ  ８１０が第２のＲＡＴへのアクティブ接続をもっていないが、それでもネットワークはメッセージ８３２をＭＳ  ８１０に通知できる。例えば、図８Ｄで図示されるように、ページングリクエスト８２４は、ＭＳ  ８１０によってサポートされるＲＡＴのそれぞれでブロードキャストされ得る。従って、図の例において、ＭＳ  ８１０は、他のＲＡＴのページングチャネルをリッスンするために切り替えることなしに、そのＷｉＭＡＸ接続によってページングリクエスト８２４を受信し得る。
【００５９】
第１のＲＡＴ接続によって受信されるページングリクエスト８２４は、マルチモードページングリクエストを引き起こしたページングリクエストに対応する第２のＲＡＴの指示を含み得る。従って、図８Ｅで図示されるように、第１のＲＡＴで受信されるページングリクエスト８２４に応答して、ＭＳ  ８１０は、（例えば、ＣＤＭＡ呼を受信する）第２のＲＡＴネットワークとの接続を確立するための動作（例えば、登録リクエスト８１６を送信すること）を開始し得る。
【００６０】
特定の実施形態では、マルチモードブロードキャストメッセージは、様々なネットワーク条件に基づいてネットワークフローの制御を支援するためにも使用され得る。例えば、１つのＲＡＴがネットワーク輻輳問題を有する場合、ネットワークは、ＭＳがページングメッセージをリッスンするために切り替えるべき好ましい（例えば、輻輳が少ない）ＲＡＴをＭＳに通知し得る。モバイルデバイスはページングされると、輻輳が少ないネットワークで応答し得る。ＭＳが使用および応答するＲＡＴを制御することによって、ネットワークオペレータは、ＭＳから／へのトラフィックのバランスを保つことができる。
【００６１】
図９Ａ−９Ｃは、別のＲＡＴでネットワーク輻輳が検知される場合に、異なるＲＡＴをリッスンするためにネットワークがどのようにマルチモードＭＳ  ８１０を動かし得るかを示す。図９Ａに図示されるように、ＭＳ  ８１０は、第１のＲＡＴ  ＢＳ  ８２０1への接続（例えば、アクティブＷｉＭＡＸ接続）があり得る。しかしながら、ネットワークは、輻輳が第１のＲＡＴネットワーク上に存在することを（例えば、ネットワークにより生成されたあるタイプのメッセージ９１０の受信によって）検知し得る。
【００６２】
それに応答して、図９Ｂで図示されるように、ネットワークはメッセージ９２０により、輻輳が少ないネットワーク（例えば、ＲＡＴ＃２）でページングリクエストをリッスンするようにＭＳ  ８１０に指示し得る。実施形態に応じて、メッセージ９２０は、ＭＳによってサポートされる全てのＲＡＴでマルチモードメッセージとしてブロードキャストされるか、または（図示されている例に示すように）輻輳したＲＡＴを通してのみ送信され得る。いくつかの場合では、ネットワークが、輻輳したネットワークでＭＳ  ８１０が過去にページングリクエストに応答したことを観測することに応答して、メッセージ９２０が送信され得る。
【００６３】
メッセージ９２０に応答して、ＭＳ  ８１０は、輻輳が少ないＲＡＴへ切り替える動作を開始する。例えば、図９Ｃで示されるように、ＭＳ  ８１０は、輻輳が少ないＲＡＴネットワークの基地局へ登録リクエスト９３０を送信することを開始し得る。特定の状況では、しかしながら、ＭＳ  ８１０は、メッセージ９２０を無視することを選択し得る。例えば、ＭＳ  ８１０が非常に低い電力モードである場合、ページング方法はトラッキング（tracking）目的の位置サービスの一部として実行され得る。そのような場合には、ＭＳ  ８１０はメッセージリクエスト９２０を無視し、リクエスト９２０において特定されるＲＡＴより低いページング電力消費オーバヘッドをもつＲＡＴを用い得る。
【００６４】
ここで使用されるように、用語「決定すること」は幅広い様々なアクションを含む。例えば、「決定すること」は、計算すること（calculating）、コンピューティング（computing）、処理すること、導出すること、調査すること、検索すること（例えば、テーブル、データベースまたは別のデータ構造を検索すること）、確定することなどを含む。さらに、「決定すること」は、受信すること（例えば、情報を受信すること）、アクセスすること（例えば、メモリ中のデータにアクセスすること）などを含む。さらに、「決定すること」は、解決すること、選択すること（selecting、choosing）、確立することなどを含む。
【００６５】
情報と信号は、任意の様々な異なる技術および技法を用いて表され得る。例えば、上記説明全体を通して言及され得るデータ、命令、コマンド、情報、信号などは、電圧、電流、電磁波、磁界または粒子、光場または粒子またはそれら任意の組合せによって表され得る。
【００６６】
本開示に関連して記述された様々な実例となる論理ブロック、モジュールおよび回路は、汎用プロセッサ、ＤＳＰ（digital signal processor）、ＡＳＩＣ（application specific integrated circuit）、ＦＰＧＡ（field programmable gate array signal）または他のＰＬＤ（programmable logic device）、個別のゲート（gate）またはトランジスタロジック（transistor logic）、個別のハードウェアコンポーネントまたはここに記述された機能を実行するために設計された任意のそれらの組合せを用いて実装または実行され得る。汎用プロセッサはマイクロプロセッサでもよいが、代案では、プロセッサは任意の市販のプロセッサ、コントローラ、マイクロコントローラまたはステートマシン（state machine）でもよい。プロセッサも、例えば、ＤＳＰとマイクロプロセッサの組合せ、複数のマイクロプロセッサ、ＤＳＰコア（core）と連結した１つまたは複数のマイクロプロセッサ、または他のそのような構成のような、コンピュータデバイスの組合せとして実現できる。
【００６７】
本開示に関連して記述された方法、処理、またはアルゴリズムのステップは、ハードウェア、プロセッサによって実行されるソフトウェアモジュール、またはその２つの組合せで直接的に具体化され得る。ソフトウェアモジュールは、技術の中で知られている記憶媒体の任意の形式に存在し得る。使用され得る記憶媒体のいくつかの例には、ＲＡＭ（random access memory）、ＲＯＭ（read only memory）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは単一の命令または多数の命令を含み、様々なプログラムの間で、および複数の記憶媒体を通して、様々なコードセグメント上で分配され得る。記憶媒体は、プロセッサが記憶媒体から情報を読み取り、および記憶媒体へ情報を書き込めるようにプロセッサに連結され得る。代案では、記憶媒体はプロセッサに不可欠であり得る。
【００６８】
ここに開示された方法は、記述された方法を実現するために１つまたは複数のステップを含む。方法ステップおよび／またはアクションは、請求項の範囲から逸脱せずに、互いに交換され得る。言い換えれば、ステップまたはアクションの特定の順序が命令されなければ、特定のステップおよび／またはアクションの命令および／または使用は、請求項の範囲から逸脱せずに変更され得る。
【００６９】
記述された関数は、ハードウェア、ソフトウェア、ファームウェアまたはそれらの任意の組合せで実装され得る。ソフトウェアの中で実装されれば、関数は、命令としてまたはコンピュータ読出可能媒体または記憶媒体で１つまたは複数の命令のセットとして記憶され得る。記憶媒体は、コンピュータによってまたは１つまたは複数の制御演算装置によってアクセスされ得る任意の利用可能な媒体であり得る。例として、また制限はなく、そのようなコンピュータ読出可能媒体には、ＲＡＭ、ＲＯＭ、ＥＥＰＲＯＭ、ＣＤ−ＲＯＭまたは他の光ディスク記憶装置、磁気ディスク記憶装置または他の磁気記憶装置、または所望のプログラムコードを命令またはデータ構造の形で伝送または記憶するために使用でき、コンピュータによってアクセスすることができる他の媒体。ここで使用されるディスク（disk and disc）は、コンパクトディスク（ＣＤ）、レーザーディスク（登録商標）、光ディスク、ＤＶＤ（digital versatile disc）、フロッピー（登録商標）ディスクおよびブルーレイディスク（登録商標）を含み、ディスク（disk）は通常磁気的にデータを再生し、ディスク（disc）はレーザーで光学的にデータを再生する。
【００７０】
ソフトウェアまたは命令も送信媒体を通して送信され得る。例えば、同軸ケーブル、光ファイバケーブル、ツイストペア（twisted pair）、ＤＳＬ（digital subscriber line）または赤外線、無線およびマイクロ波のような無線技術を使用して、ソフトウェアが、ウェブサイト、サーバまたは他のリモートソース（remote source）から送信される場合、同軸ケーブル、光ファイバケーブル、ツイストペア、ＤＳＬまたは赤外線、無線およびマイクロ波のような無線技術は、送信媒体の定義の中に含まれる。
【００７１】
さらに、ここで記述される方法と技術を実行するためのモジュールおよび／または他の適切な手段が、適用可能なものとしてユーザ端末および／または基地局によってダウンロードおよび／またはそうでなければ得られたことは、認識されるべきである。例えば、そのようなデバイスは、ここに記述された方法を実行するための手段の移行を容易にするためにサーバへ連結されることができる。代替として、ここに記述された様々な方法は、記憶手段（例えば、ＲＡＭ、ＲＯＭ、コンパクトディスク（ＣＤ）またはフロッピー（登録商標）ディスクのような物理的な記憶媒体など）によって提供されることができ、それにより、ユーザ端末および／または基地局は、デバイスに記憶手段を連結または提供することで様々な方法を得ることができる。さらに、ここに記述された方法および技術をデバイスへ提供するのに適した他の任意の技術が用いられる。
【００７２】
クレームは、上記図示された正確な構成およびコンポーネントに限定されないことは理解される。クレームの範囲から逸脱することなく、前述の方法および装置の配置、動作および詳細の中で、様々な変更（modifications, changes and variations）が可能である。
【図１】
2011526470.tif 000003
【図２】
2011526470.tif 000004
【図３】
2011526470.tif 000005
【図４】
2011526470.tif 000006
【図５Ａ】
2011526470.tif 000007
【図５Ｂ】
2011526470.tif 000008
【図６】
2011526470.tif 000009
【図６Ａ】
2011526470.tif 000010
【図７】
2011526470.tif 000011
【図７Ａ】
2011526470.tif 000012
【図８Ａ】
2011526470.tif 000013
【図８Ｂ】
2011526470.tif 000014
【図８Ｃ】
2011526470.tif 000015
【図８Ｄ】
2011526470.tif 000016
【図８Ｅ】
2011526470.tif 000017
【図９Ａ】
2011526470.tif 000018
【図９Ｂ】
2011526470.tif 000019
【図９Ｃ】
2011526470.tif 000020
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
マルチモード移動局による無線通信のための方法であって、
前記移動局によってサポートされる、サポートされる複数の無線アクセス技術（ＲＡＴ）のリストを送信すること、
前記移動局によってサポートされる前記複数のＲＡＴのうちの第１のＲＡＴにより第１のネットワークとの接続を確立すること、
前記第１の接続によって、前記移動局がページングリクエストをリッスンするために切り替えるべき前記移動局によってサポートされる前記複数のＲＡＴのうちの第２のＲＡＴをサポートする好ましい第２のネットワークを示すメッセージを受信すること、および
前記メッセージに応答して、前記複数のＲＡＴのうちの前記第２のＲＡＴにより前記第２のネットワークとの接続を確立すること、
を含む方法。
【請求項２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項１の方法。
【請求項３】
前記移動局によってサポートされる前記第１および第２のＲＡＴのうちの少なくとも１つは、符号分割多重アクセス（ＣＤＭＡ）ＲＡＴを含む、請求項２の方法。
【請求項４】
前記好ましい第２のネットワークは前記第１のネットワークより輻輳が少ないと決定され、前記メッセージは前記第１のネットワークのみを通して送信される、請求項１の方法。
【請求項５】
前記メッセージは、前記移動局によってサポートされる全てのＲＡＴを通してマルチモードメッセージとしてブロードキャストされる、請求項１の方法。
【請求項６】
マルチモード移動局との無線通信のための方法であって、
前記移動局によってサポートされる少なくとも第１および第２の無線アクセス技術（ＲＡＴ）のリストを受信すること、および
前記移動局がページングリクエストをリッスンする第１のＲＡＴネットワークでの輻輳の検知に応答して、ページングリクエストをリッスンするために前記第１のＲＡＴネットワークから第２のＲＡＴネットワークへ切り替えるように前記移動局へ指示するメッセージを送信すること、
を含む方法。
【請求項７】
前記移動局によってサポートされるＲＡＴの前記リストを受信することは、登録リクエストでＲＡＴの前記リストを受信すること、を含む請求項６の方法。
【請求項８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項６の方法。
【請求項９】
前記移動局によってサポートされる前記第１および第２のＲＡＴのうちの少なくとも１つは、符号分割多重アクセス（ＣＤＭＡ）ＲＡＴを含む、請求項８の方法。
【請求項１０】
前記メッセージは、前記移動局によってサポートされる全てのＲＡＴを通してマルチモードメッセージとしてブロードキャストされる、請求項６の方法。
【請求項１１】
マルチモード移動局であって、
前記移動局によってサポートされる、サポートされる複数の無線アクセス技術（ＲＡＴ）のリストを送信するロジック、
前記移動局によってサポートされる前記複数のＲＡＴのうちの第１のＲＡＴにより第１のネットワークとの接続を確立するロジック、
前記第１の接続によって、前記移動局がページングリクエストをリッスンするために切り替えるべき前記移動局によってサポートされる前記複数のＲＡＴのうちの第２のＲＡＴをサポートする好ましい第２のネットワークを示すメッセージを受信するロジック、および
前記メッセージに応答して、前記複数のＲＡＴのうちの前記第２のＲＡＴにより前記第２のネットワークとの接続を確立するロジック、
を備えるマルチモード移動局。
【請求項１２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項１１の移動局。
【請求項１３】
前記移動局によってサポートされる前記第１および第２のＲＡＴのうちの少なくとも１つは、符号分割多重アクセス（ＣＤＭＡ）ＲＡＴを備える、請求項１２の移動局。
【請求項１４】
前記好ましい第２のネットワークは前記第１のネットワークより輻輳が少ないと決定され、前記メッセージは前記第１のネットワークのみを通して送信される、請求項１１の移動局。
【請求項１５】
前記メッセージは、前記移動局によってサポートされる全てのＲＡＴを通してマルチモードメッセージとしてブロードキャストされる、請求項１１の移動局。
【請求項１６】
マルチモード移動局との無線通信のためのデバイスであって、
前記移動局によってサポートされる少なくとも第１および第２の無線アクセス技術（ＲＡＴ）のリストを受信し、および
前記移動局がページングリクエストをリッスンする第１のＲＡＴネットワークでの輻輳の検知に応答して、ページングリクエストをリッスンするために前記第１のＲＡＴネットワークから第２のＲＡＴネットワークへ切り替えるように前記移動局へ指示するメッセージを送信するロジック、
を備えるデバイス。
【請求項１７】
前記移動局によってサポートされるＲＡＴの前記リストを受信することは、登録リクエストでＲＡＴの前記リストを受信するように構成される、請求項１６のデバイス。
【請求項１８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項１６のデバイス。
【請求項１９】
前記移動局によってサポートされる前記第１および第２のＲＡＴのうちの少なくとも１つは、符号分割多重アクセス（ＣＤＭＡ）ＲＡＴを備える、請求項１８のデバイス。
【請求項２０】
前記メッセージは、前記移動局によってサポートされる全てのＲＡＴを通してマルチモードメッセージとしてブロードキャストされる、請求項１６のデバイス。
【請求項２１】
マルチモード無線通信のための装置であって、
前記移動局によってサポートされる、サポートされる複数の無線アクセス技術（ＲＡＴ）のリストを送信する手段、
前記移動局によってサポートされる前記複数のＲＡＴのうちの第１のＲＡＴにより第１のネットワークとの接続を確立する手段、
前記第１の接続によって、前記移動局がページングリクエストをリッスンするために切り替えるべき前記移動局によってサポートされる前記複数のＲＡＴのうちの第２のＲＡＴをサポートする好ましい第２のネットワークを示すメッセージを受信する手段、および
前記メッセージに応答して、前記複数のＲＡＴのうちの前記第２のＲＡＴにより前記第２のネットワークとの接続を確立する手段、
を備える装置。
【請求項２２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項２１の移動局。
【請求項２３】
前記移動局によってサポートされる前記第１および第２のＲＡＴのうちの少なくとも１つは、符号分割多重アクセス（ＣＤＭＡ）ＲＡＴを備える、請求項２２の移動局。
【請求項２４】
前記好ましい第２のネットワークは前記第１のネットワークより輻輳が少ないと決定され、前記メッセージは前記第１のネットワークのみを通して送信される、請求項２１の移動局。
【請求項２５】
前記メッセージは、前記移動局によってサポートされる全てのＲＡＴを通してマルチモードメッセージとしてブロードキャストされる、請求項２１の移動局。
【請求項２６】
マルチモード移動局との無線通信のためのデバイスであって、
前記移動局によってサポートされる少なくとも第１および第２の無線アクセス技術（ＲＡＴ）のリストを受信する手段、および
前記移動局がページングリクエストをリッスンする第１のＲＡＴネットワークでの輻輳の検知に応答して、ページングリクエストをリッスンするために前記第１のＲＡＴネットワークから第２のＲＡＴネットワークへ切り替えるように前記移動局へ指示するメッセージを送信する手段、
を備えるデバイス。
【請求項２７】
前記移動局によってサポートされるＲＡＴの前記リストを受信する手段は、登録リクエストでＲＡＴの前記リストを受信するように構成される、請求項２６のデバイス。
【請求項２８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、請求項２６のデバイス。
【請求項２９】
前記移動局によってサポートされる前記第１および第２のＲＡＴのうちの少なくとも１つは、符号分割多重アクセス（ＣＤＭＡ）ＲＡＴを備える、請求項２８のデバイス。
【請求項３０】
前記メッセージは、前記移動局によってサポートされる全てのＲＡＴを通してマルチモードメッセージとしてブロードキャストされる、請求項２６のデバイス。
【請求項３１】
プログラムを含むコンピュータ読出可能媒体であって、マルチモード移動局のプロセッサによって実行されるとき、
前記移動局によってサポートされる、サポートされる複数の無線アクセス技術（ＲＡＴ）のリストを送信すること、
前記移動局によってサポートされる前記複数のＲＡＴのうちの第１のＲＡＴにより第１のネットワークとの接続を確立すること、
前記第１の接続によって、前記移動局がページングリクエストをリッスンするために切り替えるべき前記移動局によってサポートされる前記複数のＲＡＴのうちの第２のＲＡＴをサポートする好ましい第２のネットワークを示すメッセージを受信すること、および
前記メッセージに応答して、前記複数のＲＡＴのうちの前記第２のＲＡＴにより前記第２のネットワークとの接続を確立すること、
を含むオペレーションを実行するコンピュータ読出可能媒体。
【請求項３２】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項３１のコンピュータ読出可能媒体。
【請求項３３】
前記移動局によってサポートされる前記第１および第２のＲＡＴのうちの少なくとも１つは、符号分割多重アクセス（ＣＤＭＡ）ＲＡＴを含む、請求項３２のコンピュータ読出可能媒体。
【請求項３４】
前記好ましい第２のネットワークは前記第１のネットワークより輻輳が少ないと決定され、前記メッセージは前記第１のネットワークのみを通して送信される、請求項３１のコンピュータ読出可能媒体。
【請求項３５】
前記メッセージは、前記移動局によってサポートされる全てのＲＡＴを通してマルチモードメッセージとしてブロードキャストされる、請求項３１のコンピュータ読出可能媒体。
【請求項３６】
マルチモード移動局との無線通信のためのプログラムを含むコンピュータ読出可能媒体であって、プロセッサによって実行されるとき、
前記移動局によってサポートされる少なくとも第１および第２の無線アクセス技術（ＲＡＴ）のリストを受信すること、および
前記移動局がページングリクエストをリッスンする第１のＲＡＴネットワークでの輻輳の検知に応答して、ページングリクエストをリッスンするために前記第１のＲＡＴネットワークから第２のＲＡＴネットワークへ切り替えるように前記移動局へ指示するメッセージを送信すること、
を含むオペレーションを実行するコンピュータ読出可能媒体。
【請求項３７】
前記移動局によってサポートされるＲＡＴの前記リストを受信することは、登録リクエストでＲＡＴの前記リストを受信することを含む、請求項３６のコンピュータ読出可能媒体。
【請求項３８】
前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、請求項３６のコンピュータ読出可能媒体。
【請求項３９】
前記移動局によってサポートされる前記第１および第２のＲＡＴのうちの少なくとも１つは、符号分割多重アクセス（ＣＤＭＡ）ＲＡＴを含む、請求項３８のコンピュータ読出可能媒体。
【請求項４０】
前記メッセージは、前記移動局によってサポートされる全てのＲＡＴを通してマルチモードメッセージとしてブロードキャストされる、請求項３６のコンピュータ読出可能媒体。
【手続補正２】
【補正対象書類名】明細書
【補正対象項目名】００７２
【補正方法】変更
【補正の内容】
【００７２】
クレームは、上記図示された正確な構成およびコンポーネントに限定されないことは理解される。クレームの範囲から逸脱することなく、前述の方法および装置の配置、動作および詳細の中で、様々な変更（modifications, changes and variations）が可能である。
［付記］
（１）  マルチモード移動局による無線通信のための方法であって、
前記移動局によってサポートされる、サポートされる複数の無線アクセス技術（ＲＡＴ）のリストを送信すること、
前記移動局によってサポートされる前記複数のＲＡＴのうちの第１のＲＡＴにより第１のネットワークとの接続を確立すること、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信すること、および
前記マルチモードページングメッセージに応答して、前記複数のＲＡＴのうちの前記第２のＲＡＴにより前記第２のネットワークとの接続を確立すること、
を含む方法。
（２）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、上記（１）記載の方法。
（３）  前記移動局によってサポートされる前記第１および第２のＲＡＴのうちの少なくとも１つは、符号分割多重アクセス（ＣＤＭＡ）ＲＡＴを含む、上記（２）記載の方法。
（４）  前記サポートされるＲＡＴのリストを送信することは、前記第１の接続を確立するときに前記サポートされるＲＡＴのリストを送信すること、を含む上記（１）記載の方法。
（５）  異なるネットワークでのネットワーク輻輳を示すメッセージに応答して、前記移動局によりサポートされる前記複数のＲＡＴのうちの第１のＲＡＴによって前記第１のネットワークとの接続を確立すること、を含む上記（１）記載の方法。
（６）  マルチモード移動局との無線通信のための方法であって、
前記移動局によってサポートされる少なくとも第１および第２の無線アクセス技術（ＲＡＴ）のリストを受信すること、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストすること、
を含む方法。
（７）  前記移動局によってサポートされるＲＡＴの前記リストを受信することは、登録リクエストでＲＡＴの前記リストを受信すること、を含む上記（６）記載の方法。
（８）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、上記（６）記載の方法。
（９）  前記移動局によってサポートされる前記第１および第２のＲＡＴのうちの少なくとも１つは、符号分割多重アクセス（ＣＤＭＡ）ＲＡＴを含む、上記（８）記載の方法。
（１０）  前記移動局に前記第１のＲＡＴによる第１のネットワーク接続から前記第２のＲＡＴによる第２のネットワーク接続へ切り替えることを要求する前記移動局へのメッセージを送信すること、をさらに含む上記（６）記載の方法。
（１１）  マルチモード移動局であって、
前記移動局によってサポートされる、サポートされる複数の無線アクセス技術（ＲＡＴ）のリストを送信するロジック、
前記移動局によってサポートされる前記複数のＲＡＴのうちの第１のＲＡＴにより第１のネットワークとの接続を確立するロジック、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信するロジック、および
前記マルチモードページングメッセージに応答して、前記複数のＲＡＴのうちの前記第２のＲＡＴにより前記第２のネットワークとの接続を確立するロジック、
を備えるマルチモード移動局。
（１２）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、上記（１１）記載の移動局。
（１３）  前記移動局によってサポートされる前記第１および第２のＲＡＴのうちの少なくとも１つは、符号分割多重アクセス（ＣＤＭＡ）ＲＡＴを備える、上記（１２）記載の移動局。
（１４）  前記サポートされるＲＡＴのリストを送信するロジックは、前記第１の接続を確立するときに前記サポートされるＲＡＴのリストを送信するように構成される上記（１１）記載の移動局。
（１５）  異なるネットワークでのネットワーク輻輳を示すメッセージに応答して、前記移動局によりサポートされる前記複数のＲＡＴのうちの第１のＲＡＴによって前記第１のネットワークとの接続を確立するロジック、をさらに備える上記（１１）記載の移動局。
（１６）  マルチモード移動局との無線通信のためのデバイスであって、
前記移動局によってサポートされる少なくとも第１および第２の無線アクセス技術（ＲＡＴ）のリストを受信するロジック、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストするロジック、
を備えるデバイス。
（１７）  前記移動局によってサポートされるＲＡＴの前記リストを受信することは、登録リクエストでＲＡＴの前記リストを受信するように構成される、上記（１６）記載のデバイス。
（１８）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、上記（１６）記載のデバイス。
（１９）  前記移動局によってサポートされる前記第１および第２のＲＡＴのうちの少なくとも１つは、符号分割多重アクセス（ＣＤＭＡ）ＲＡＴを備える、上記（１８）記載のデバイス。
（２０）  前記移動局に前記第１のＲＡＴによる第１のネットワーク接続から前記第２のＲＡＴによる第２のネットワーク接続へ切り替えることを要求する前記移動局へのメッセージを送信するロジック、をさらに備える上記（１６）記載のデバイス。
（２１）  マルチモード無線通信のための装置であって、
前記移動局によってサポートされる、サポートされる複数の無線アクセス技術（ＲＡＴ）のリストを送信する手段、
前記移動局によってサポートされる前記複数のＲＡＴのうちの第１のＲＡＴにより第１のネットワークとの接続を確立する手段、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信する手段、および
前記マルチモードページングメッセージに応答して、前記複数のＲＡＴのうちの前記第２のＲＡＴにより前記第２のネットワークとの接続を確立する手段、
を備える装置。
（２２）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、上記（２１）記載の移動局。
（２３）  前記移動局によってサポートされる前記第１および第２のＲＡＴのうちの少なくとも１つは、符号分割多重アクセス（ＣＤＭＡ）ＲＡＴを備える、上記（２２）記載の移動局。
（２４）  前記サポートされるＲＡＴのリストを送信する手段は、前記第１の接続を確立するときに前記サポートされるＲＡＴのリストを送信するように構成される上記（２１）記載の移動局。
（２５）  異なるネットワークでのネットワーク輻輳を示すメッセージに応答して、前記移動局によりサポートされる前記複数のＲＡＴのうちの第１のＲＡＴによって前記第１のネットワークとの接続を確立する手段、をさらに備える上記（２１）記載の移動局。
（２６）  マルチモード移動局との無線通信のためのデバイスであって、
前記移動局によってサポートされる少なくとも第１および第２の無線アクセス技術（ＲＡＴ）のリストを受信する手段、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストする手段、
を備えるデバイス。
（２７）  前記移動局によってサポートされるＲＡＴの前記リストを受信する手段は、登録リクエストでＲＡＴの前記リストを受信するように構成される、上記（２６）記載のデバイス。
（２８）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを備える、上記（２６）記載のデバイス。
（２９）  前記移動局によってサポートされる前記第１および第２のＲＡＴのうちの少なくとも１つは、符号分割多重アクセス（ＣＤＭＡ）ＲＡＴを備える、上記（２８）記載のデバイス。
（３０）  前記移動局に、前記第１のＲＡＴによる第１のネットワーク接続から前記第２のＲＡＴによる第２のネットワーク接続へ切り替えることを要求する前記移動局へのメッセージを送信する手段、をさらに備える上記（２６）記載のデバイス。
（３１）  プログラムを含むコンピュータ読出可能媒体であって、マルチモード移動局のプロセッサによって実行されるとき、
前記移動局によってサポートされる、サポートされる複数の無線アクセス技術（ＲＡＴ）のリストを送信すること、
前記移動局によってサポートされる前記複数のＲＡＴのうちの第１のＲＡＴにより第１のネットワークとの接続を確立すること、
前記第１の接続によって、前記移動局によってサポートされる前記複数のＲＡＴのうちの第２のＲＡＴをサポートする第２のネットワークで検知された前記移動局に対するページングリクエストを示すマルチモードページングメッセージを受信すること、および
前記マルチモードページングメッセージに応答して、前記複数のＲＡＴのうちの前記第２のＲＡＴにより前記第２のネットワークとの接続を確立すること、
を含むオペレーションを実行するコンピュータ読出可能媒体。
（３２）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、上記（３１）記載のコンピュータ読出可能媒体。
（３３）  前記移動局によってサポートされる前記第１および第２のＲＡＴのうちの少なくとも１つは、符号分割多重アクセス（ＣＤＭＡ）ＲＡＴを含む、上記（３２）記載のコンピュータ読出可能媒体。
（３４）  前記サポートされるＲＡＴのリストを送信することは、前記第１の接続を確立するときに前記サポートされるＲＡＴのリストを送信することを含む上記（３１）記載のコンピュータ読出可能媒体。
（３５）  異なるネットワークでのネットワーク輻輳を示すメッセージに応答して、前記移動局によりサポートされる前記複数のＲＡＴのうちの第１のＲＡＴによって前記第１のネットワークとの接続を確立すること、を含む上記（３１）記載のコンピュータ読出可能媒体。
（３６）  マルチモード移動局との無線通信のためのプログラムを含むコンピュータ読出可能媒体であって、プロセッサによって実行されるとき、
前記移動局によってサポートされる少なくとも第１および第２の無線アクセス技術（ＲＡＴ）のリストを受信すること、および
前記サポートされるＲＡＴのうちの第１のＲＡＴによる前記移動局をターゲットとするページングリクエストの検知に応答して、前記移動局へマルチモードページングメッセージを前記第１および第２のＲＡＴによりブロードキャストすること、
を含むオペレーションを実行するコンピュータ読出可能媒体。
（３７）  前記移動局によってサポートされるＲＡＴの前記リストを受信することは、登録リクエストでＲＡＴの前記リストを受信することを含む、上記（３６）記載のコンピュータ読出可能媒体。
（３８）  前記移動局によってサポートされる前記第１および第２のＲＡＴのうちの少なくとも１つは、ＩＥＥＥ（Institute of Electrical and Electronics Engineers）８０２．１６ファミリの複数の標準のうちの１つまたは複数の標準に従ったＲＡＴを含む、上記（３６）記載のコンピュータ読出可能媒体。
（３９）  前記移動局によってサポートされる前記第１および第２のＲＡＴのうちの少なくとも１つは、符号分割多重アクセス（ＣＤＭＡ）ＲＡＴを含む、上記（３８）記載のコンピュータ読出可能媒体。
（４０）  前記オペレーションは、前記移動局に、前記第１のＲＡＴによる第１のネットワーク接続から前記第２のＲＡＴによる第２のネットワーク接続へ切り替えることを要求する前記移動局へのメッセージを送信すること、をさらに含む上記（３６）記載のコンピュータ読出可能媒体。
【国際調査報告】
2011526470.tif 000021
2011526470.tif 000022
2011526470.tif 000023